【手続補正書】
【提出日】平成25年1月23日(2013.1.23)
【手続補正２】
【補正対象書類名】特許請求の範囲
【補正対象項目名】全文
【補正方法】変更
【補正の内容】
【特許請求の範囲】
【請求項１】
合成樹脂と植物性材料とを混練機で熱処理混練することを特徴とする木炭混練樹脂塊である混練物の製造方法。
【請求項２】
前記樹脂は、ポリプロピレン、ポリエチレン又はペットから選択される少なくとも１以上のエチレン系の合成樹脂であることを特徴とする請求項１に記載の木炭混練樹脂塊である混練物の製造方法。
【請求項３】
前記植物性材料は、麦藁、稲藁、籾殻、木屑、大鋸屑から選択される少なくとも１以上の植物性材料であることを特徴とする請求項１、２に記載の木炭混練樹脂塊である混練物の製造方法。
【請求項４】
合成樹脂と植物性材料とを３００℃以上４００℃以内の温度条件下で混練製造した混練物である木炭混練樹脂塊を粉砕することを特徴とする請求項１、２、３記載の木炭混練樹脂塊から製造される木炭混練粒状資材である混練物。
【請求項５】
前記樹脂と前記植物性材料との混練物である木炭混練樹脂塊を５ｍｍ以下に粉砕することを特徴とする請求項４に記載の木炭混練粒状資材である混練物。
【請求項６】
前記樹脂と植物性材料とを３００℃以上４００℃以内の温度条件下で混練製造した木炭混練樹脂塊を植物育成用鉢に形成することを特徴とする請求項１に記載の混練物。
【請求項７】
前記樹脂と前記植物性材料との混練物を５ｍｍ以下に粉砕製造した木炭混練粒状資材を植物育成用粒状資材として使用することを特徴とする請求項２、３、４又は５に記載の混練物。
【請求項８】
前記樹脂と前記植物性材料との混練物を５ｍｍ以下に粉砕製造した木炭混練粒状資材を水の浄化材として使用することを特徴とする請求項２、３、４又は５に記載の混練物。
【請求項９】
前記樹脂と、前記植物性材料との混練物を５ｍｍ以下に粉砕製造した木炭混練粒状資材を住宅・建造物の脱臭・湿度調整・シロアリ防止効果材として使用することを特徴とする請求項２、３、４又は５に記載の混練物。
【手続補正３】
【補正対象書類名】明細書
【補正対象項目名】０００１
【補正方法】変更
【補正の内容】
【０００１】
本発明は、植物育成用人工土壌と水の浄化基材と脱臭材として利用できる、ポリプロピレン、ポリエチレン又はペットを代表とするエチレン系の合成樹脂と麦藁、稲藁、籾殻、木屑、大鋸屑等の植物性材料とを利用して通気・保水性を有する粒状樹脂の使用方法とその製造する方法に関する。
【手続補正４】
【補正対象書類名】明細書
【補正対象項目名】０００６
【補正方法】変更
【補正の内容】
【０００６】
また、河川のダム建設を含む人類が流す汚水による河川と海の汚染はそこに棲息する魚介類の生活循環を脅かしている。そこで、多くの水棲生物の生息が可能な循環水の浄化の技術開発も重要視されてきている。（例えば、特許文献５から１１参照）
【手続補正５】
【補正対象書類名】明細書
【補正対象項目名】００１６
【補正方法】変更
【補正の内容】
【００１６】
本発明は、前記樹脂廃棄物と前記植物性廃棄物を有効利用した混練物（木炭混練樹脂塊）である。該木炭混練樹脂塊は植物を効率よく育成することの出来る植物育成用粒状資材用にも有効に加工出来、前記植物性バイオマスである木屑・大鋸屑或いは麦藁・稲藁・籾殻等と前記ポリプロピレン、ポリエチレン又はペットを代表とするエチレン系合成樹脂とを一緒に混入して３００℃から４００℃の熱処理で炭化した該植物性バイオマスである。
【手続補正６】
【補正対象書類名】明細書
【補正対象項目名】００１７
【補正方法】変更
【補正の内容】
【００１７】
該木炭混練樹脂塊は前記３００℃から４００℃の熱処理で炭化した木屑・大鋸屑或いは麦藁・稲藁・籾殻と前記３００℃から４００℃の熱処理で軽度に分解して小分子化した該ポリプロピレン、ポリエチレン又はペットを代表とするエチレン系樹脂の混練物である通気性・保水性・吸着性を有する木炭混練樹脂塊を先ず製造することである。
【手続補正７】
【補正対象書類名】明細書
【補正対象項目名】００２０
【補正方法】変更
【補正の内容】
【００２０】
上述したように本発明の木炭混練粒状資材は、図１に示す様にバイオマスである前記植物性木屑・大鋸屑或いは麦藁・稲藁・籾殻（図１のP）と前記ポリプロピレン、ポリエチレン又はペットを代表とするエチレン系合成樹脂（図１のR）とを一緒に混入して熱処理で炭化したバイオマス混練樹脂である。
該植物性バイオマスである木屑・大鋸屑或いは稲藁・籾殻（図１のP）と該ポリプロピレン、ポリエチレン又はペットを代表とするエチレン系合成樹脂（図１のR）とを圧力約５０ｋｇ／cm２、３００℃以上４００℃以内の条件下で混練機（ルーダー）（図１の1）を用いて混練してあるので植物バイオマス材は炭化され、該炭化バイオマスはエチレン系樹脂が軽度に分解して小分子化して炭化粒子同士を相互接着した混練物である。
通気性・保水性・吸着性を有する木炭混練樹脂塊（図１のM）から破砕機（図１の2）で ０．１ｍｍ以上５ｍｍ以下程度の粒子状に破砕・粉砕製造された木炭混練粒状資材（図１のS）は製造コストが安価であり、合成樹脂の分解毒素も無く、粒状形状維持強度も高い。
【手続補正８】
【補正対象書類名】明細書
【補正対象項目名】００２１
【補正方法】変更
【補正の内容】
【００２１】
また、本発明の木炭混練粒状資材（図１のS）は、木炭の性格である通気性・吸着性を保持しており、炭化粒子が低分子化されたエチレン系樹脂（図１のR）で相互に接着された構造になっているので保水性も高まっている。
【手続補正９】
【補正対象書類名】明細書
【補正対象項目名】００２６
【補正方法】変更
【補正の内容】
【００２６】
更にまた、本発明の木炭混練粒状資材（図１のS）には、通気性・保水性・吸着性があり、この性格を利用して閉鎖系循環水（図８、9の6e、図１０の7、図１１の9h）の浄化材として効果的に使用できる。これは該木炭混練粒状資材（図１のS）の前記植物性バイオマスである木屑・大鋸屑或いは麦藁・稲藁・籾殻等の炭化構成部分がアンモニア、有機物、藻類等を吸着して若しくはろ過して除去するとともに、バクテリアが生息する生物膜を形成し、吸着されたアンモニアや有機物等は亜硝酸態窒素の酸化浄化バクテリア（亜硝酸菌等硝化細菌）によって分解することができる水の浄化システムを積極的に構築することを助けるからである。この時、該木炭混練粒状資材（図１のS）の粒状径は４から５mm程度の大きさに統一することが望ましい。
【手続補正１０】
【補正対象書類名】明細書
【補正対象項目名】００３０
【補正方法】変更
【補正の内容】
【００３０】
【図１】本発明に関わる木炭混練粒状資材（S）の製造方法を説明するためのフローチャートである。
【図２】本発明に関わる木炭混練粒状資材（S）と天然土壌（A）との配合で造る植物育成用人工土壌（Sa）と水盤箱（３）とその上部に重なり嵌合するネット状有底枠体（４）の二重構造水耕栽培用植木箱の断面図である。
【図３】図２を用いた植物の育成方法を説明するための概略断面図である。
【図４】図３の他の実施例の断面図である。
【図５】図２、図３の水耕栽培用植木箱の平面図である。
【図６】図２の水盤箱（３）とその上部に重なり嵌合するネット状有底枠体（４）の二重構造水耕栽培用植木箱の他の実施例の断面図である。
【図７】本発明に関わる粘度質土壌（A2）に木炭混練粒状資材（S）を混入させて土壌改良を示している概念図である。
【図８】本発明に関わる木炭混練粒状資材（S）を用いた他の使用実施例である閉鎖系循環水浄化型水棲生物飼育槽の平面図である。
【図９】図８の循環水浄化機能部の側面概念図である。
【図１０】本発明に関わる木炭混練粒状資材（S）を観賞魚水槽（８）の循環水浄化フィルター機能に用いた断面概念図である。
【図１１】図８、図９の他の実施例であり、住宅用雨水再利用閉鎖系循環水浄化方法を説明する断面概念図ある。
【図１２】本発明に関わる木炭混練粒状資材（S）を住宅用合併浄化槽の排水の最終浄化に利用使用した説明概念図である。
【図１３】本発明に関わる木炭混練粒状資材（S）を住宅用脱臭・湿度調整・シロアリ防止の効果基材に利用使用した説明概念断面図である。
【図１４】本発明に関わる木炭混練樹脂塊（図１のM）を利用使用した説明概念図である。
【手続補正１１】
【補正対象書類名】明細書
【補正対象項目名】００３２
【補正方法】変更
【補正の内容】
【００３２】
（製造方法の実施例）
図１はポリプロピレン、ポリエチレン又はペットを代表とするエチレン系の合成樹脂の新材も使用できますが、リサイクル材（R）を主に用いる。植物材としてはバイオマスであるがまだ多くが廃棄されている麦藁、稲藁、籾殻、木屑、大鋸屑等の植物性材料（P）を用いてこの合成樹脂（R）と植物性材料（P）とを圧力約５０ｋｇ／平方センチメートル、３００℃以上４００℃以内の条件下で混練機（ルーダー）（図１の1）を用いて混練後徐冷した混練物（M 木炭混練樹脂塊）を破砕機（図１に1）で破砕・粉砕して木炭混練粒状資材（図１のS）を製造することを特徴とする。そして、本発明によれば、樹脂（R）と植物性材料（P）とを３００℃以上４００℃以内の温度条件下で混練するため、植物性材料が炭化し、その部分に保水性を持たせることが出来て混練物（M 木炭混練樹脂塊）の保水性が向上する。
【手続補正１２】
【補正対象書類名】明細書
【補正対象項目名】００５０
【補正方法】変更
【補正の内容】
【００５０】
上記木炭混練粒状資材（S）の水の浄化基材として使用する利用方法について説明する。図８は閉鎖系循環水の浄化槽付き水棲生物飼育水槽（6）の平面概念図で図９はその浄化機能部側面図である。6aは沈澱槽、6bはナイロンマット濾過槽、6cは吸着・通液濾過槽で水浄化粒状資材（浄化基材 Sb）が収納設置されている。6dは水車、6eは閉鎖循環水流路、6fは第一飼育槽、6gは第二飼育槽、6hは水位調整仕切板、6iは水棲生物区分け保護ネット、6jは循環水循環流出口、6kは循環水の浄化機能部入路口、6lは循環水温度調節器（チラー）、6mはバルブ、6nは循環水通路屈曲接合部（エルボー）、6oは水の補充通路、6pは浄化機能部下部仕切板、6qは浄化機能部の上部仕切板を示しておる。
本発明の木炭混練粒状資材（S）はこの循環水の浄化機能槽の中で最も重要な機能を担当する吸着・通液濾過槽（6c）に水浄化粒状資材（浄化基材 Sb）として収納設置されて汚水のナイロンマット濾過槽（6b）では取り除けなかった細かい汚れの吸着と亜硝酸体窒素の酸化分解無毒化するバクテリア（亜硝酸菌等の硝化細菌）の繁殖を助ける重要な水の浄化基材（Sb）としての機能を司る。
【手続補正１３】
【補正対象書類名】明細書
【補正対象項目名】００５１
【補正方法】変更
【補正の内容】
【００５１】
また、図１０は従来から使用されている観賞魚の循環水濾過浄化水槽であり、7は循環水槽水、7aは曝気泡、8は観賞魚（F1）飼育水槽、8aは水棲生物区分け保護ネット付き循環水循環流出口、8bは循環水通路、8cは図８、９の水車の役目の循環水送り出し羽モーター部、8dは循環水の浄化機能部入路口、8eは浄化基材の設置部で浄化基材流出防止ネットになっており、図８、９の浄化機能部の上部仕切板に相当する。8fは浄化循環水の流入路である。これは上記図８、９の閉鎖系循環水の浄化槽付き水棲生物飼育水槽（6）と根本的には同じであるが、従来の観賞魚の循環水濾過浄化水槽では上記図８、９の閉鎖系循環水の浄化槽付き水棲生物飼育水槽（6）のナイロンマット濾過槽（6b）のみで浄化しているが、このナイロンマットを本発明の木炭混練粒状資材（S）からなる水浄化粒状資材（浄化基材Sb）に置き換えると上記観賞魚（F1）の循環水濾過浄化水槽の水の交換を約一年間交換しなくても、蒸発分を追加するのみで魚は生育しており、該賞魚の循環水濾過浄化水槽の循環水の亜硝酸態窒素濃度は魚が生育できる濃度（０．２６ ppm） 以下の一定に保たれていた。
【手続補正１４】
【補正対象書類名】明細書
【補正対象項目名】００５８
【補正方法】変更
【補正の内容】
【００５８】
本発明のポリプロピレン、ポリエチレン又はペットを代表とするエチレン系の合成樹脂と麦藁、稲藁、籾殻、木屑、大鋸屑を代表とする植物性材料とを３００℃以上の温度条件下で混練することを特徴とする木炭混練樹脂塊（M）は、木炭混練樹脂であるので、通常の素焼き鉢やプラスチック鉢より通気性と殺菌性があり、他の園芸鉢より植物園芸用鉢（Ma）として機能性の高い木炭混練樹脂鉢に成形できる。